(57)【要約】【課題】平坦性に優れた電気泳動表示装置の製造方法を提供する。【解決手段】少なくとも対向基板と電気泳動層とを備える電気泳動シートと、素子基板とを所定の方向に湾曲させた状態で接着剤を介して貼り合わせる工程と、所定の方向に湾曲させた状態で、電気泳動シートと素子基板とを加熱接着する工程と、所定の方向に湾曲させた状態から解放すると共に、加熱を停止する工程と、を含むことを特徴とする電気泳動表示装置の製造方法。【選択図】なし【特許請求の範囲】
【請求項１】
素子基板と対向基板との間に挟持された電気泳動層を有し、前記対向基板側を表示面とする電気泳動表示装置の製造方法であって、
少なくとも前記対向基板と前記電気泳動層とを備える電気泳動シートと、前記素子基板とを所定の方向に湾曲させた状態で接着剤を介して貼り合わせる工程と、
前記所定の方向に湾曲させた状態で、前記電気泳動シートと前記素子基板とを加熱接着する工程と、
前記所定の方向に湾曲させた状態から解放すると共に、前記加熱を停止する工程と、を含むことを特徴とする電気泳動表示装置の製造方法。
【請求項２】
前記所定の方向に湾曲させた状態とは、前記電気泳動シートが前記湾曲の内側になる状態であり、
前記素子基板は、厚さ２００μｍ以下のガラス基板であることを特徴とする請求項１に記載の電気泳動表示装置の製造方法。
【発明の詳細な説明】
【技術分野】
【０００１】
本発明は、電気泳動表示装置の製造方法の改良に関するものであり、特に、表示体組立実装分野において、薄いガラスを駆動回路用の基板として用いたフレキシブルな薄型平面電気泳動ディスプレイの製造方法に関するものである。
【背景技術】
【０００２】
液晶表示デバイスに代表される平面表示装置は、薄型、軽量、低消費電力などの特徴を生かしてＯＡ機器、情報端末、時計、テレビ等の各分野に利用されている。現在、携帯電話をはじめとするこれらの液晶表示デバイスには、より薄く、より軽く、且つ丈夫であることが要求されている。
【０００３】
一方、カラー表示や動画表示という点において液晶表示デバイスには劣るものの、薄さ、軽さ及び低消費電力を実現し得る表示体として、電気泳動ディスプレイ（Ｅｌｅｃｔｒｏｐｈｏｒｅｔｉｃ  Ｄｉｓｐｌａｙ：ＥＰＤ）が注目されている。この電気泳動ディスプレイ（以下、ＥＰＤという）は、紙に近い性質を有しており、読むことを目的とした「電子ペーパー」として開発が進められている。
【０００４】
代表的な電子ペーパーであるマイクロカプセル型ＥＰＤは、帯電粒子が分散した溶媒をマイクロカプセルに封入し、マイクロカプセルを挟持するように形成された電極間に電圧を印加して電界を発生させることにより、帯電粒子の分布を変化させてコントラストを得る表示体である。電圧印加を止めても静電気力や分子間力によって引きつけられた帯電粒子が電極付近に留まることから、電力を消費せずに表示画像を保持し続けられるという特徴を有する。
また、液晶ディスプレイのような透過光や有機ＥＬディスプレイのような発光ではなく、帯電粒子や溶媒そのものの色（反射光）を観察するため視野角依存がなく、紙のように目に優しく、長時間の凝視にも耐えられるといった利点がある。
さらに、表示を担う構成材料の殆どが柔軟性を有する有機物であることから、曲面ディスプレイのような表示部分を曲げた状態での使用が可能であるといった利点もある。
【０００５】
このように、薄く、軽く、且つ柔軟性を有するといったＥＰＤの特徴は、電気泳動シート（以下、ＥＰシートとする）と呼ばれる表示部を構成するマイクロカプセルや表層のプラスチック基板等の材料の殆どが有機物で構成されている結果である。したがって、柔軟性を有するプラスチック基板上に配線形成したものをバックプレインとして用いれば表示体全体のフレキシブル化は可能である。しかしながら、ドットマトリックス表示による高精細かつ自由度に富んだ画像を表示する場合、一般的にはガラス基板上にＴＦＴ（薄膜回路素子）を形成したものを素子基板として用いるため、表示体全体としては本来ＥＰシートが持つ柔軟性は失われてしまうという問題があった。
【０００６】
そこで、これらの課題を解決するために、ＴＦＴを石英ガラスや、ガラス基板などの基板上に形成し、形成されたＴＦＴをこの基板から剥離し、樹脂基板に移し変える転写法が提案されている。また、ステンレス基板上にＴＦＴを形成して表示体全体としての柔軟性を確保する試みもなされている。このように、樹脂基板や、金属基板を素子基板とすれば、柔軟なフレキシブル薄型平面ディスプレイの製造が可能である。しかしながら、上記技術は開発段階にあるため、量産化の実現には信頼性やコストなど課題が残っている。
このため、すでに量産化技術が確立されている従来のガラス基板からなる素子基板を用いたフレキシブルな薄型平面ディスプレイの実現が期待されていた。
【０００７】
ところで、実際にガラス基板を用いたフレキシブルディスプレイを実現する方法としては、特許文献１に記載されているように、ガラス基板をエッチングにより薄膜化して柔軟性を持たせる方法が提案されている。
【特許文献１】特開２００６−４１１３５号公報
【発明の開示】
【発明が解決しようとする課題】
【０００８】
しかしながら、特許文献１に記載の方法は、ガラス基板の裏面の粗さを低減することにより素子基板の反り量を少なくすることを目的としたフレキシブルディスプレイの製造方法である。このため、素子基板そのものの反りを抑制することは可能であるが、素子基板上にＥＰシートを加熱処理によって貼り付ける場合には、ガラスを含む素子基板と、殆どが有機物で構成されるＥＰシートとの熱膨張係数の差によって、表示デバイス全体に大きな反りが発生してしまうという問題があった。
【０００９】
すなわち、従来のフレキシブルディスプレイ１０１の製造方法は、図６（ａ）に示すように、ガラスを含む素子基板１０２と有機物で構成されるＥＰシート１０３とを積層して、平坦な状態で加熱プレス処理することで駆動基板１０２とＥＰシート１０３とを加熱接着していた。この場合、加熱接着時およびその直後は、図６（ｂ）に示すように、フレキシブルディスプレイ１０１は平坦となる。しかしながら、ガラスを含む素子基板１０２の熱膨張率と比較して、有機物で構成されるＥＰシート１０３の熱膨張率が大きいため、加熱状態から室温まで冷却されるときに収縮量に差が生じる。
すなわち、図６（ｂ）中の矢印に示すように、素子基板１０２の収縮量Ｓ１は、ＥＰシート１０３の収縮量Ｓ２よりも小さいため、室温まで冷却された際には、図６（ｃ）に示すように、フレキシブルディスプレイ１０１は、ＥＰシート１０３が内側になるように反ってしまう。
【００１０】
本発明は、上記事情に鑑みてなされたものであって、平坦性に優れた電気泳動表示装置の製造方法を提供することを目的とする。
【課題を解決するための手段】
【００１１】
上記の目的を達成するために、本発明は以下の構成を採用した。
すなわち、本発明の電気泳動表示装置の製造方法は、素子基板と対向基板との間に挟持された電気泳動層を有し、前記対向基板側を表示面とする電気泳動表示装置の製造方法であって、少なくとも前記対向基板と前記電気泳動層とを備える電気泳動シートと、前記素子基板とを所定の方向に湾曲させた状態で接着剤を介して貼り合わせる工程と、前記所定の方向に湾曲させた状態で、前記電気泳動シートと前記素子基板とを加熱接着する工程と、前記所定の方向に湾曲させた状態から解放すると共に、前記加熱を停止する工程と、を含むことを特徴とする。
【００１２】
本発明の電気泳動表示装置の製造方法によれば、素子基板に電気泳動シートを貼り付ける際の加熱冷却過程で発生する反り量分をあらかじめ反対方向に反らせた状態で貼り付けおよび加熱接着を行うため、室温まで冷却した際にディスプレイ全体が平坦となる。これにより、様々なサイズや厚みや硬さの材料に対応可能な、ディスプレイ全体が平坦となる平坦性に優れた電気泳動表示装置の製造方法を提供することができる。
【００１３】
また、本発明の電気泳動表示装置の製造方法は、前記所定の方向に湾曲させた状態とは、前記電気泳動シートが前記湾曲の内側になる状態であり、前記素子基板は、厚さ２００μｍ以下のガラス基板であることが好ましい。このように、素子基板が２００μｍ以下に薄く加工したガラス基板に対して電気泳動シートを貼り付けることにより、フレキシブル且つ薄型の平面電気泳動表示装置の製造方法を提供することができる。
本発明の製造方法を用いれば、２００μｍ以下のガラス基板にプラスチックシートを貼り付ける際の加熱冷却過程で発生する反り量分をあらかじめ反対方向に反らせた状態で貼り付けおよび加熱接着を行うことによって、様々なサイズや厚みや硬さの材料に対応可能な、フラットなフレキシブルディスプレイを製造することが可能となる。
【発明を実施するための最良の形態】
【００１４】
以下、本発明を適用した実施形態について、図面を参照して詳細に説明する。なお、以下の各図は、本発明の実施形態である電気泳動表示装置及びその製造方法を説明するためのものであり、図示される各部の大きさや厚さや寸法等は、実際の電気泳動表示装置等の寸法関係とは異なる場合がある。
【００１５】
先ず、本発明を適用した一実施形態である電気泳動表示装置の製造方法に用いて製造される電気泳動表示装置の構成について説明する。
図１は、本発明を適用した一実施形態である電気泳動表示装置示す断面模式図である。
本実施形態の電気泳動表示装置１は、図１に示すように、素子基板２と、後述する対向基板７と接着材８との間に挟持された電気泳動層９を有する電気泳動シート３と、この電気泳動シート３上に設けられて対向基板７側に配置される保護シート４と、電気泳動シート３と保護シート４とを接着するための両面接着剤５とから概略構成されている。なお、本実施形態では、対向基板７及び保護シート４側が表示面となっており、保護シート４が電気泳動表示装置１の最表層となっている。
【００１６】
素子基板２は、無アルカリガラスなどのガラス基板や、ＰＥＴなどの透明な樹脂基板などを用いることができる。本実施形態では、素子基板２は、厚さ２００μｍ以下のガラス基板であることが好ましい。このように、厚さ２００μｍ以下のガラス基板を用いると、電気泳動表示装置１は、可撓性のある（フレキシブルな）電気泳動表示装置１とすることができる。本実施形態では、素子基板２として、旭硝子社製の無アルカリガラスＡＮ１００（商品名）を用いており、素子基板２の厚さは、約１００μｍ程度である。
なお、素子基板２には、画素電極（図示せず）が形成されている。この画素電極は、公知のレジスト法及びエッチング法を用いたパターニング技術や、液滴吐出法等を用いて選択的に材料を塗布する技術、若しくは蒸着法等を用いて素子基板２上に形成することができる
【００１７】
電気泳動シート３は、図１に示すように、接着剤８と、この接着剤８上に順次設けられた電気泳動層９、共通電極１０、及び対向基板７から構成されている。この電気泳動シート３は、例えばＰＥＴ層からなる対向基板７を基体とし、この対向基板７上にＩＴＯ等の透明な導電材料で共通電極１０を形成し、この上に電気泳動層９と接着剤８とを形成したものである。
【００１８】
本実施形態の電気泳動層９は、図１に示すように、電気泳動物質を含有したマイクロカプセルを多数有してなるマイクロカプセル型のものである。マイクロカプセルは、例えば正に帯電した黒色の正帯電粒子（電気泳動物質）と、負に帯電した白色の負帯電粒子（電気泳動物質）と、を分散液中に分散させ、この分散液を微小なカプセルに封入することで得ることができる。
【００１９】
また、このような電気泳動シート３は製品化されており、当該製品を用いるようにしてもよく、本実施形態ではＥ・Ｉｎｋ社の製品であるセグメントディスプレイ用ＥＰシートVer.2.1（商品名）を用いている。
なお、電気泳動シート３の厚さとしては、本実施形態では約２３０μｍ程度としている。
【００２０】
図１に示すように、保護シート４は、耐衝撃性及び対擦性を有することが好ましい。また、保護シート４は、電気泳動表示装置１の表示面を構成することから、透明性が高いことを要すると共に、水分を嫌う電気泳動層９の劣化を抑制するために耐侯性を有することが好ましい。保護シート４を構成する材料としては、例えば、アクリル樹脂、ＰＥＴ、ＰＣ等の通常のプラスチック材料を適用することができる。なお、本実施形態では、保護シート４として、さくら樹脂社製のアクリルＯＡＰ−Ｓ０３（商品名）を用いており、その厚さは、３００μｍ程度である。
【００２１】
両面接着剤５は、電気泳動シート３と保護シート４とを接着することが可能であれば、特に限定されるものではない。本実施形態では、両面接着剤５として、日東電工社製の両面接着剤ＨＪ−３１６０Ｗ（商品名）を用いており、その厚さは、１００μｍ程度である。
なお、保護シート４と対向基板７との間に例えば透明なエラストマーからなる衝撃緩和部材を設けても良い。このような構成とすることで、電気泳動表示装置１の耐衝撃性をさらに向上させることができる。
【００２２】
ところで、一般に、電気泳動層９は、湿度が所定の値よりも高い場合でも低い場合でも劣化してしまうため、液晶表示装置等の表示装置よりも厳しい湿度管理が必要とされる。このため、本実施形態では、防湿層１０を備えた構成としてもよい。防湿層１０として、具体的には、防湿、透明性に優れたフッ素樹脂や、ＰＣＴＦＥ（ポリクロロトリフルオロエチレン（Ｐｏｌｙ  Ｃｈｌｏｒｏ  Ｔｒｉ  Ｆｕｒｕｏｒｏ  Ｅｔｈｙｌｅｎｅ）、三フッ化エチレン樹脂）などを用いることができる。
これにより、電気泳動層９の劣化を十分に防止することができ、長寿命の電気泳動表示装置１とすることができる。
【００２３】
また、本実施形態のように、最表層となる保護シート４をアクリル樹脂からなるものとすれば、先述のようにキズが付き難くかつ軽量とすることができるとともに、良好な耐候性を得ることができる。耐候性とは、太陽光による紫外線や熱、雨等による水分、温度変化等により材料が変質しない特徴のことであり、屋外曝露試験等で評価される。耐候性に優れた電気泳動表示装置１は、幅広い環境条件で使用可能となっているので、より良好な携帯性となり、例えば屋外等でも使用可能なものとなる。
【００２４】
なお、本実施形態ではマイクロカプセル型の電気泳動層９としたが、マイクロカプセル型でなくともよく、例えば画素電極の間に隔壁を設け、画素電極上に電気泳動物質を分散させた分散媒を配し、共通電極等でこれを封止するようにしてもよい。
【００２５】
また、本実施形態では、図１に示すように、保護シート４を表示部の最外層としたが、例えば、この保護シート４上に紫外線カットフィルムや、反射防止フィルム、あるいはよりキズを付きにくくするためのハードコート等の機能膜を設け、これを最外層としてもよい。さらに、保護シート４等は、いずれも単層で構成する必要は無く、複数層で構成してもよい。
【００２６】
以上のような構成の電気泳動表示装置１は、画素電極（図示せず）と共通電極１０との間に電界が印加されると、電気泳動層９のマイクロカプセルに封入された正帯電粒子（黒色）及び負帯電粒子（白色）には、その帯電の正負に応じた方向に静電気力が作用する。例えば、図１に示すように、画素電極が共通電極１０よりも高電位である画素電極上においては、共通電極（低電位）１０側に正帯電粒子（黒色）が移動することにより、これが透明な共通電極通して最表層である保護シート４側から視認され、画素電極に対応した画素が黒色表示となる。また、画素ごとに、画素電極と共通電極１０との間の電位差を制御することにより、所望の画像を表示することができるようになっている。
【００２７】
次に、本実施形態の電気泳動表示装置１の製造方法について説明する。図２〜図４は、本実施形態の電気泳動表示装置１の製造方法を示す工程断面図である。
本実施形態の電気泳動表示装置１の製造方法は、電気泳動シートと素子基板とを所定の状態に湾曲させた状態で接着剤を介して貼り合わせる工程と、所定の状態に湾曲させた状態で接着剤を加熱して溶融させ、電気泳動シートと素子基板とを接着させる工程と、所定の状態に湾曲させた状態から解放すると共に、加熱を停止する工程とから概略構成されている。以下に、各工程について詳細に説明する。
【００２８】
（貼り合わせ工程）
先ず、電気泳動シートと素子基板とを所定の状態に湾曲させた状態で接着剤を介して貼り合わせる工程、すなわち貼り合わせ工程について説明する。
先ず、縦４００ｍｍ×横５００ｍｍサイズ、厚さ５００μｍのマザーガラス基板から、スクライバーを用いて縦１１０ｍｍ×横１５０ｍｍのサイズの素子基板２を切り出す。
次に、図２（ａ）に示すように、素子基板２のＴＦＴ形成面２ａに、ポリエステル基材と粘着層とからなる熱剥離シート１１を貼り付けて保護する。熱剥離シートとしては、例えば、日東電工社製のリバα、319Y-4MS（商品名）を用いることができる。
次に、図２（ｂ）に示すように、熱剥離シート１１でＴＦＴ形成面２ａを保護した状態で、素子基板２をＴＦＴ形成面２ａの反対側の面からウェットエッチング処理し、素子基板２を約１００μｍになるまで薄型化する。
【００２９】
次に、図２（ｃ）に示すように、約１００μｍまで薄型化された素子基板２におけるＴＦＴ形成面２ａの反対側の面を保護基板１２と密着させた後、クリーンオーブンを用いて約１２０℃、１０分間加熱して、熱剥離シート１１を素子基板２のＴＦＴ形成面２ａから剥がす（図２（ｄ）参照）。
最後に、保護基板１２を取り外すことにより、厚さ約１００μｍの素子基板２が形成される。
【００３０】
次に、図３（ａ）に示すように、真空ラミネート装置内において、所定の状態に湾曲させた保持曲面１３ａを有する下側挟持体１３上で、上述のように薄膜化された素子基板２と、あらかじめ両面接着剤５によって保護シート４が接着された状態の電気泳動シート３とを、ＴＦＴ形成面２ａと接着剤８とが向い合うようにして貼り合わせる。
なお、以下の図３及び図４中においては、簡略化のために保護シート４及び両面接着剤５の記載を省略している。
【００３１】
ところで、本実施形態において所定の方向（状態）に湾曲させるとは、後述するように冷却固化工程で生じる反り量を相殺することができるように、事前に想定した反り量から曲率半径を算出し、素子基板２と電気泳動シート３との貼り合わせの際にこの曲率半径分だけ反り方向と反対側に湾曲させることを示している。
また、図５に示すように、材料１と材料２とを貼り合わせて加熱接着する場合に、
材料１（厚さ：ａ１、弾性率：Ｅ１、熱膨張係数：α１）、
材料２（厚さ：ａ２、弾性率：Ｅ２、熱膨張係数：α２）、
貼り合わせ長さ：Ｌ、加熱温度：Ｔ１、室温：Ｔ０、
ｈ＝ａ１＋ａ２、ｍ＝ａ１／ａ２、ｎ＝Ｅ１／Ｅ２
とすると、曲率半径ρ及び反り量Ｗは、以下の数式（１）及び数式（２）から算出が可能であることが知られている。なお、ここで貼り合わせ長さＬとは、長手方向の長さをいう。
【００３２】
【数１】
2009229690.tif 000002
【００３３】
【数２】
2009229690.tif 000003
【００３４】
但し、現実の材料系では、他の複雑な要素が存在するために計算結果と必ずしも合致しない。このため、曲率半径ρ及び反り量Ｗの計算値を参考として、実際に使用する材料系で曲率半径ρ及び反り量Ｗを実測し（例えば、図６（ｃ）参照）、これを相殺するような所定の状態（曲率半径）に湾曲させることが好ましい。
本実施形態では、素子基板２と樹脂からなる電気泳動シート３とを従来の方法により加熱接着する場合に、電気泳動シートが内側となるように反りが発生して、この反り量を４ｍｍと想定し（図６（ｃ）参照）、曲率半径７００ｍｍの凸形状の保持曲面１３ａを有する下側挟持体１３を用いた。
したがって、先ず、下側挟持体１３の凸形状の保持曲面１３ａ上に、素子基板２のＴＦＴ形成面２ａが向い合うように設置し、その上に電気泳動シート３を乗せる。
【００３５】
最後に、上側挟持体１４によって素子基板２と電気泳動シート３とを加圧して貼り合わせる。図３に示すように、上側挟持体１４は、空気を入れることによって膨張する風船状のものであり、例えばシリコンゴム等からなる。図３（ｂ）に示すように、この上側挟持体１４に空気を入れ、その膨張具合を調整することにより、素子基板２と電気泳動シート３とを下側挟持体１３の保持曲面１３ａに沿って密着させ、素子基板２と電気泳動シート３とを均一に加圧することができる。従って、電気泳動シート３が有する電気泳動層９に負荷をかけ過ぎることなく、素子基板２と電気泳動シート３とを適度且つ均一に加圧することができる。本実施形態では、約０．４ＭＰａの圧力を加えて貼り合わせる（仮接着）。
【００３６】
（加熱接着工程）
次に、所定の状態に湾曲させた状態で接着剤を加熱して、電気泳動シートと素子基板とを接着させる工程、すなわち加熱接着工程について説明する。先ず、上述したように真空ラミネート装置内で、図３（ｂ）に示すような所定の状態、すなわち、素子基板２が内側、電気泳動シート３が外側となるように湾曲させた状態で、約１００℃の温度と０．４ＭＰａの圧力を加えて貼り付ける。このようにして、電気泳動層３の接着剤８によって、素子基板２と電気泳動シート３とを加熱接着する。
【００３７】
（冷却工程）
最後に、所定の状態に湾曲させた状態から解放すると共に、加熱を停止する工程、すなわち冷却工程について説明する。
先ず、図４（ａ）に示すように、真空ラミネート装置からガラス基板２と電気泳動シート３および保護シート（図示せず）とが一体化した電気泳動表示装置１を取り出し、室温になるまで放置冷却する。
【００３８】
図４（ａ）に示すように、加熱接着終了後に真空ラミネート装置から取り出した直後は、電気泳動表示装置１は、下側挟持体１３の保持曲面１３ａの形状に沿って、素子基板２が内側、電気泳動シート３が外側となるように反っている。しかしながら、素子基板２の熱膨張率よりも有機物で構成される電気泳動シート３の熱膨張率が大きいため、図４（ａ）中の矢印に示すように、室温まで冷却されるときの素子基板２の収縮量Ｓ１よりも電気泳動シート３の収縮量Ｓ２が大きくなり、収縮量Ｓ１とＳ２との間に差が生じる。これにより、図４（ｂ）に示すように、室温において電気泳動表示装置１は、素子基板２が内側、電気泳動シート３が外側となるように反った状態から全体的に平坦な状態となる。
以上のプロセスによって、総厚約０．７ｍｍのフレキシブル且つ平坦な電気泳動表示装置１が製造することができる。
【００３９】
以上説明したように、本実施形態の電気泳動表示装置１の製造方法によれば素子基板２に電気泳動シート３を貼り付ける際の加熱冷却過程で発生する反り量分をあらかじめ反対方向に反らせた状態で貼り付けおよび加熱接着を行うため、室温まで冷却した際に電気泳動表示装置１が平坦となる。これにより、様々なサイズや厚みや硬さの材料に対応可能な、ディスプレイ全体が平坦となる平坦性に優れた電気泳動表示装置１の製造方法を提供することができる。
また、本実施形態の製造方法によれば、約１００μｍの素子基板２を用いているため、フラット且つフレキシブルな電気泳動表示装置１を製造することが可能となる。
【００４０】
なお、本発明の技術範囲は上述した実施形態に限定されるものではなく、本発明の趣旨を逸脱しない範囲において種々の変更を加えることが可能である。例えば、上述した実施形態において電気泳動シート３と保護シート４とは両面接着剤５にて予め一体化されたものを適用したが、ガラス基板２と電気泳動シート３とを前記貼り合わせ工程によって一体化した後に、電気泳動シート３の対向基板７に両面接着剤５を用いて保護シート４を貼り合わせても良い。
また、素子基板２と、電気泳動シート３と、保護シート４とを前記貼り合わせ工程において、一括して貼り合わせても良い。
【００４１】
さらに、上述した実施形態では、下側挟持体１３が凸形状の保持曲面１３ａとして、その保持曲面１３ａ上に素子基板２をＴＦＴ形成面２ａが曲面の外側となるように設置し、その上に電気泳動シート３を乗せる構成とした。しかし、本発明はこれに限定されるものではなく、凹形状の保持曲面を有する下側挟持体を用いても良い。この場合には、先ず、凹形状の保持曲面に電気泳動シート３を乗せて、その上にＴＦＴ形成面２ａが電気泳動シート３側となるように素子基板２を乗せる構成としてもよい。
このような構成とした場合であっても、加熱接着後には電気泳動表示装置１は、素子基板２が内側、電気泳動シート３が外側となるように反った状態となっており、室温まで冷却されると全体的に平坦な状態となる。
【産業上の利用可能性】
【００４２】
本発明の電気泳動表示装置の製造方法は、フレキシブル薄型電気泳動ディスプレイの反りを低減できるだけでなく、液晶パネルや有機ＥＬ等の薄型ガラス基板を利用した表示体の反りを低減する製造方法としても活用することができる。
【図面の簡単な説明】
【００４３】
【図１】図１は、本発明を適用した一実施形態である電気泳動表示装置示す断面模式図である。
【図２】図２は、本実施形態の電気泳動表示装置１の製造方法を示す工程断面図である。
【図３】図３は、本実施形態の電気泳動表示装置１の製造方法を示す工程断面図である。
【図４】図４は、本実施形態の電気泳動表示装置１の製造方法を示す工程断面図である。
【図５】図５は、曲率半径及び反り量を算出するための断面模式図である。
【図６】図６は、従来の電気泳動表示装置の製造方法を示す工程断面図である。
【符号の説明】
【００４４】
１…電気泳動表示装置、２…素子基板（ガラス基板）、２ａ…ＴＦＴ形成面、３…電気泳動シート、４…保護シート、５…両面接着剤、７…対向基板、８…接着剤、９…電気泳動層、１０…共通電極、１１…熱剥離シート、１２…保護基板、１３…下側挟持体、１３ａ…保持曲面、１４…上側挟持体
【図１】
2009229690.tif 000004
【図２】
2009229690.tif 000005
【図３】
2009229690.tif 000006
【図４】
2009229690.tif 000007
【図５】
2009229690.tif 000008
【図６】
2009229690.tif 000009